(57)【特許請求の範囲】
【請求項１】
箱状の装置本体１と、この装置本体１の前面パネル２に形成された複数個の開口部３と、これらの各開口部３を閉鎖できるように装置本体１内に設けられ、かつ、前面パネル２と略同一垂直面となる前壁４ａを有する複数個の鍵収納体４と、これら各鍵収納体４の後方に横方向に配設され、制御装置５からの制御命令信号に基づき極性変換用の各電源を介して駆動すると共に、前記各鍵収納体４をそれぞれ個別的かつ直接的に開閉する複数個の駆動装置６とを備え、前記駆動装置６は、作動杆１９がモータ本体の軸芯方向に進退動するマグネットモータであり、その作動杆１９の先端部１９ａが鍵収納体４の後壁４ｂに枢着されており、また前記鍵収納体４の一側壁に所定の鍵のみを差し込みし得る鍵穴１３を形成したことを特徴とする鍵管理装置。
【請求項２】
請求項１に於いて、前面パネル２の開口部３は縦長状に形成され、また鍵収納体４は装置本体１に軸支され、さらに、鍵穴１３は鍵収納体４の上壁に形成されていることを特徴とする鍵管理装置。
【請求項３】
請求項１に於いて、前面パネル２Ａの開口部３Ａは横長状に形成され、また横設された鍵収納体４Ａは装置本体１Ａに摺動可能に支持され、さらに、鍵穴１３Ａは鍵収納体４Ａの側壁２７に形成されていることを特徴とする鍵管理装置。
【発明の詳細な説明】
【０００１】
【産業上の利用分野】
本発明は、マンション、オフィスビル等で各部屋の出入りに使用する鍵を玄関などで集中管理するための鍵管理装置に関する。
【０００２】
【従来の技術】
従来、この種の管理装置としては、例えば図９に示す一実施例が知られている。すなわち、５０は装置本体で、この装置本体５０には縦及び横方向に整列状態で複数個の鍵収納部５１が設けられている。各鍵収納部５１は、ボックス状に形成され、パネル５２の前面には各々開閉扉５３が枢着されている。
【０００３】
５４は各鍵収納部５１にそれぞれ内装された鍵５５用のロック装置である。この鍵ロック装置５４の前面５４ａと前記開閉扉５３との間には、手を差し入れて鍵５５をロック装置５４から引き抜くことができる所要空間５６が設けられている。
【０００４】
５７は装置本体５０又は管理人室に設けられ、かつ、前記各鍵ロック装置５４を制御する制御装置である。この制御装置５７には、装置本体５０の上部に内装された表示装置５８、装置本体５０の中央部に設けられたカードリーダー５９がそれぞれ電気的に接続している。
【０００５】
上記構成に於いては、図示しない磁気カードを装置本体５０のカード挿入口に差し込むと、カードリーダー５９がカードの内容を読取り、その識別情報を制御装置５７に送る。制御装置５７は、判断部６０に当該磁気カードが正規のものか否か、当該カード内容と一致する鍵収納部５１はどれかなどを判断させ、磁気カードの内容とメモリー部６１の登録情報とが一致した時に、表示装置５８の表示灯を点灯させ、またカード内容に対応する鍵収納部５１の鍵ロック装置５４のロックを解除させ、さらに開閉扉５３を自動的に開けさせる。
【０００６】
そこで、使用者は鍵収納部５１の所要空間５６に手を入れ、鍵５５をまず解錠方向へ回し、しかる後に鍵ロック装置５４から鍵を引き抜く。
【０００７】
しかしながら、上記構成に於いては、次に列挙するような欠点があった。
（１）鍵５５をロック装置５４から引き抜く時に手を前記所要空間５６に入れ、かつ、鍵５５を掴んだ状態で、解錠位置へと回さなければならないので、操作が面倒である。
（２）鍵収納部５１に所要空間（スペース）５６を設けなければならないので、装置本体５０の奥行きＤが深くなる。すなわち、鍵収納体内のスペースを有効的に活用できないので、装置本体のコンパクト化を図ることができない。
【０００８】
【発明が解決しようとする課題】
本発明は以上のような従来の欠点に鑑み、使用者に取って非常に使い易く、また管理上の便宜又は悪戯防止の観点から鍵収納体に所定の鍵のみ収納させ、さらに、鍵収納体のスペースを有効的に活用でき、加えて、所定の前面パネルを有効的に活用しながら装置本体に多数の鍵収納体を設けることができる鍵管理装置を得ることである。
【０００９】
【課題を解決するための手段】
本発明の鍵管理装置は、箱状の装置本体１と、この装置本体１の前面パネル２に形成された複数個の開口部３と、これらの各開口部３を閉鎖できるように装置本体１内に設けられ、かつ、前面パネル２と略同一垂直面となる前壁４ａを有する複数個の鍵収納体４と、これら各鍵収納体４の後方に横方向に配設され、制御装置５からの制御命令信号に基づき極性変換用の各電源を介して駆動すると共に、前記各鍵収納体４をそれぞれ個別的かつ直接的に開閉する複数個の駆動装置６とを備え、前記駆動装置６は、作動杆１９がモータ本体の軸芯方向に進退動するマグネットモータであり、その作動杆１９の先端部１９ａが鍵収納体４の後壁４ｂに枢着されており、また前記鍵収納体４の一側壁に所定の鍵のみを差し込みし得る鍵穴１３を形成したことを特徴とする。
【００１０】
上記構成に於いて、前面パネル２の開口部３は縦長状に形成され、また鍵収納体４は装置本体１に軸支され、さらに、鍵穴１３は鍵収納体４の上壁に形成されていることを特徴とする。
【００１１】
或いは上記構成に於いて、前面パネル２Ａの開口部３Ａは横長状に形成され、横設された鍵収納体４Ａは装置本体１Ａに摺動可能に支持され、鍵穴１３Ａは鍵収納体４Ａの側壁２７に形成されていることを特徴とする。
【００１２】
【作用】
使用者が識別カードを装置本体のカード挿入口に差し込むと、入力装置は識別カードのカード内容を制御装置に送る。制御装置は送られてきた情報信号を判断部に出力する。判断部は当該識別カードが正しければ照合一致が得られたカード内容に対応する鍵収納体を判別し、その判断結果を制御装置に通知する。制御装置はこの判断結果に基づき選定された駆動装置側に駆動信号を出力する。
【００１３】
そうすると、当該駆動装置の当該電源を介して極性が変化して作動杆が伸長し、その結果、鍵収納体は装置本体の外側に所要量回転して前面パネルの開口部が開口する。そこで、鍵収納体に収納されている鍵を鍵孔から摘み出すことができる。鍵を鍵収納体から取り出すと、鍵収納体は自動的に閉鎖位置へと戻る。
【００１４】
【実施例】
以下、図面に示す実施例により本発明を詳細に説明する。図１ないし図７において、１は箱状の装置本体である。この装置本体の奥行きは、概してこの種の装置本体より浅い。２は装置本体１の前面パネルである。この前面パネル２には、右側の一部分を除き、縦長状の開口部３が縦横整列状態（格子状）に形成されている。開口部３の数は、合計５０個あるが、この数は必要に応じて増減可能である。
【００１５】
しかして、装置本体１には、前記各開口部３を閉鎖し、かつ、前面パネル２と略同一垂直面となる前壁を有する複数個の鍵収納体４がそれぞれ回動可能に軸支
されている。また装置本体１には、各鍵収納体４を前面パネル２を基準にして当該開口部３を開閉させるために制御命令信号を出力する制御装置５、この制御装置５からの制御命令信号に基づき駆動し、かつ、前記各鍵収納体４をそれぞれ直接又は間接的に開閉する複数個の駆動装置６などが組み込まれている。さらに、前記制御装置５には、鍵の使用者によって入力（識別カードの挿入、暗証番号の入力操作など）される入力装置の一例としてのカードリーダー７、使用者の当該鍵をどの鍵収納体４に収納すべきかなどを表示する表示部８などが電気的に接続している。
【００１６】
そこで、まず本発明の主要部である鍵収納体４について説明する。鍵収納体４は、図１ないし図４で示すように、個々的には縦方向に配設され、いわば前面パネル２に設けられた各鍵収納部用の扉の一部を構成している。
【００１７】
すなわち、鍵収納体４は前面パネル２と略同一垂直面となる前壁４ａを有する縦長状に形成されている。この鍵収納体４は、装置本体１の縦長状開口部３に横軸１１を介して回動可能に軸支されている。鍵収納体４の後壁４ｂは前壁４ａより多少短い。また鍵収納体４の左右の側壁４ｃは後壁４ｂよりもさらに短く形成されている。さらに、鍵収納体４の上壁４ｅには所定の鍵Ｋを差し込みし得る鍵穴１３が形成されている。この鍵穴１３は、鍵Ｋの摘み部１４ａと連設する差し込み部１４ｂをガイドする機能を有し、当該鍵Ｋの差し込み部１４ｂの形状（ブレード、ミゾ）が一致しない限り鍵Ｋを通さない。したがって、当該鍵Ｋの差し込み部１４ｂが鍵穴１３一致すると、鍵Ｋはその摘み部１４ａが鍵収納体４の上壁４ｅから突出するような格好で鍵収納体４に収納される。
【００１８】
駆動装置６は、図２で示すように鍵収納体４の後方に配設される。この駆動装置６の一例としては、作動杆がモータ本体の軸芯方向に進退動するマグネットモータが使用されている。
【００１９】
ところで、このマグネットモータ６の構造を図５を参照に簡単に説明すると、１５は鍵収納体４の後方に位置するように内部フレーム１２に固定的に横設され
たモータ本体である。このモータ本体１５の内周部にはマグネット１６が固定的に内装され、またマグネット１６の内側には筒状の回転子１７が設けられている。１８は回転子１７を支承する中心案内筒で、この中心案内筒１８にはモータ本体１５の軸芯方向に進退動する作動杆１９がスライド可能に嵌挿されている。作動杆１９は、その先端部１９ａが鍵収納体４の後壁４ｂの中央部（中央部よりの部位も含む。）に適宜に枢着し、駆動装置用電源の極性が切り替わると進退動する。したがって、このマグネットモータ６は、出力軸が回転する一般のモータとは相違し、本来「モータ」と言うべきではないかも知れないが、本明細書では出力軸（作動杆）がモータ本体の軸芯方向に進退動するマグネットタイプの駆動装置を便宜上「マグネットモータ」と称する。
【００２０】
次に制御装置５について説明する。この制御装置５は、本実施例では装置本体１に適宜に組み込まれているが、必ずしも装置本体１に装着する必要はなく、例えば管理人室などに配設しても良い。
【００２１】
しかして、装置本体１には図７で示すように鍵の使用者によって入力（識別カードの挿入、暗証番号の入力操作など）される入力装置の一例としてのカードリーダー７が電気的に接続している。したがって、装置本体１の前面パネル２の適宜箇所には、入力装置７の位置に対応して識別カード（ＩＤカード、バーコードを有するカードなど）用のカード挿入口２０が設けられている。もちろん、入力装置７の他の例としては、いわゆるテンキーを別個又は併用して設けても良い。
【００２２】
また制御装置５には使用者の当該鍵をどの鍵収納体４に収納すべきか、どの鍵収納体４に収納されているかなどを表示する表示部８などが電気的に接続している。したがって、装置本体１の前面パネル２の適宜箇所には、点灯ランプ２１が鍵収納体４の数に対応して設けられている。さらに、制御装置５には装置本体１の各開口部内３にそれぞれ横設された各マグネットモータ６が極性変換用の各電源２２を介して電気的に接続している。なお、２３は本装置の作動に必要なプログラムを備えたメモリー部、２４は入力装置７からの入力信号を前記メモリー部の登録情報と比較照合して判別する判断部、２５は使用者が鍵を鍵収納体４から取り出す時当該鍵収納体４を所要時間開いた状態にするタイマー回路である。
【００２３】
上記構成に於いて、使用者が鍵収納体４に収納されている鍵を取り出す一態様について説明する。
【００２４】
まず使用者は識別カードを装置本体１のカード挿入口２０に差し込む。そうすると、入力装置７は識別カードのカード内容（識別情報）を制御装置５に送る。制御装置５は送られてきた情報信号を判断部２４に出力する。判断部２４は各鍵収納体４に対応して予めメモリー部２３に設定登録された登録情報と入力装置としてのカードリーダー７により読み取られたカード内容（識別情報）とを比較照合し、当該識別カードが正しければ照合一致が得られたカード内容に対応する鍵収納体４を判別し、その判断結果を制御装置５に通知する。制御装置５はこの判断結果に基づき選定されたマグネットモータ６側に駆動信号を出力する。そうすると、当該マグネットモータ６は当該電源２２を介して極性が変化し、その作動杆１９は伸長する。
【００２５】
次にマグネットモータ６の作動杆１９が伸長すると、図６で示すように鍵収納体４は横軸１１を支点に装置本体１の外側に所要量（実施例では２５度）回転する。これにより前面パネル１の開口部３が開口する。この時当該鍵収納体４を所要時間開いた状態にするタイマー回路２５がスタートする。
【００２６】
そこで、使用者は鍵収納体４の鍵穴１３からから指で鍵Ｋを摘み出すように抜く。この様に使用者が鍵Ｋを鍵収納体４から取り出した後、制御装置５はタイマー回路２５のタイマーが終了後に駆動装置側に信号を送る。そうすると、当該電源２２の極性が切り替わり、マグネットモータ６の作動杆１９が伸縮し、鍵収納体４は元の位置に戻る。鍵収納体４は元の位置に戻ると、その前壁４ａが前面パネル２と同一垂直面になる。
【００２７】
なお、上記実施例に於いて、鍵収納体４はタイマー回路２５のタイマーが終了後に元の閉鎖位置に戻ることについて説明したが、必ずしもタイマー回路２５を用いる必要はなく、例えば装置本体１の前面パネル２に押しボタンなどの鍵収納体４閉鎖用スイッチを設け、このスイッチを制御装置に電気的に接続しても良い。さらに、鍵が収納されているか否かを検知する内部検知器を鍵収納体４に適宜に装着し、この内部検知器を制御装置に接続して鍵収納体４を自動的に閉鎖位置し得るようにしても良い。
【００２８】
また上記実施例に於いて、前面パネルの開口部３は縦長状に形成され、鍵を縦長状の鍵収納体４に入れる旨を説明しているが、図８で示すように開口部３Ａは横長状であっても良い。したがって、この場合は、鍵収納体４Ａの形態が必然的に引き出し型になり、例えば鍵収納体４Ａは装置本体１Ａにガイド部乃至ガイド部材２６を介して摺動可能に支持され、また鍵穴１３Ａは鍵収納体４Ａの側壁２７に形成されていることになり、さらに、鍵収納体４Ａは駆動装置６Ａの作動杆１９Ａの進退動により、前面パネル２Ａを基準に開閉する。この実施例の場合、横方向に配設された鍵収納体４Ａの底壁２８は、鍵Ｋの摘み部１４ａを支持できるように突出している。
【００２９】
なお、この第１実施例の変形例の場合、開口部３Ａ内に横設された鍵収納体４Ａは、装置本体１Ａにガイド部乃至ガイド部材２６を介して摺動可能に支持されているが、必ずしも「引き出し型」にする必要はなく、第１実施例と同様に鍵収納体を横にした状態で装置本体に軸支しても良い（第１実施例の横型）。
【００３０】
【発明の効果】
以上の説明から明らかなように、本発明にあっては次に列挙するような効果が
ある。
（１）鍵収納体に鍵を入れる時は鍵を単に鍵収納体の鍵穴に差し込むだけで良く、一方、鍵を鍵収納体から取出す時は鍵収納体に収納されている鍵をそのまま摘み出すだけで良い。したがって、使用者に取って非常に使い易い。
（２）しかも、鍵収納体の一側壁には、所定の鍵のみを差し込みし得る鍵穴が形成されているので、誤って、別の鍵を当該鍵収納体に入れてしまう心配もなく、また鍵収納体自体が悪戯される危険性も減少する。したがって、管理上の便宜さ等を発揮することができる。
（３）鍵収納体の前壁が、いわば前面パネルの一部を構成するので、鍵収納体のスペースを有効的に活用することができる。したがって、装置本体の奥行きを浅くすることができる（装置本体のコンパクト化）。
（４）鍵収納体は前面パネルに形成された開口部を閉鎖できるように装置本体に内装されているので、所定の大きさの前面パネルを有効的に活用しながら装置本体に多数の鍵収納体を設けることができる。
（５）駆動装置が横方向に配設され、鍵収納体の後壁に連結された作動杆がモータ本体の軸芯方向に進退動するので、解錠あるいはロック機構が不要となる（構成する部品点数が少なくなる）ので、製作が容易である。
【図面の簡単な説明】
図１ないし図７は本発明の第１実施例の各説明図。図８は第１実施例の要部の変形例を示す説明図。図９は従来の一例を示す説明図。
【図１】第１実施例の装置本体の外観を示す斜視図。
【図２】要部の概略縦断面説明図。
【図３】要部の概略説明図（要部を裏側から見た。）。
【図４】要部の斜視図。
【図５】要部（駆動装置）の説明図。
【図６】要部の作動状態の説明図。
【図７】制御装置の一例の電気的構成を示すブロック図。
【図８】第１実施例の要部の変形例を示す説明図。
【図９】従来の一実施例を示す概略説明図。
【符号の説明】
１、１Ａ…装置本体、２、２Ａ…前面パネル、３、３Ａ…開口部、４、４Ａ…鍵収納体、４ａ…前壁、４ｂ…後壁、４ｃ…側壁、４ｅ…上壁、５…制御装置、６、６Ａ…駆動装置、７…入力装置、８…表示部、１２…内部フレーム、１３、１３Ａ…鍵穴、Ｋ…鍵、１４ａ…摘み部、１４ｂ…差し込み部、１９、１９Ａ…作動杆、２０…カード挿入口、２１…点灯ランプ、２２…駆動装置用電源、２５…タイマー回路、２６…ガイド部材、２７…側壁、２８…底壁。
【図１】
0003548897.tif 000002
【図２】
0003548897.tif 000003
【図３】
0003548897.tif 000004
【図４】
0003548897.tif 000005
【図５】
0003548897.tif 000006
【図６】
0003548897.tif 000007
【図７】
0003548897.tif 000008
【図８】
0003548897.tif 000009
【図９】
0003548897.tif 000010